(57)【要約】【課題】トイレブース内の任意の位置に配設しても、衛生洗浄装置から送信される無線信号によって作動が可能であり、且つ、低消費電力の電子機器を備えたトイレシステムを提供する。【解決手段】使用者を検知する人体検知手段と、他の電子機器の機能を遠隔制御するための無線信号を送信する無線信号送信手段とを有する衛生洗浄装置と、前記無線信号を受信する無線信号受信手段を有して動作する電子機器とを備えたトイレシステムにおいて、衛生洗浄装置は、人体検知手段による検知結果を人体検知無線信号として、無線信号送信手段に送信させる制御を行う送信制御手段を有し、電子機器は、無線信号受信手段を第１の間欠周期により間欠動作させて無線信号を受信させておき、人体検知無線信号を受信すると、第１の間欠周期よりも短い第２の間欠周期により間欠動作させて無線信号を受信させる制御を行う受信制御手段を有する。【選択図】図１
2007315147.tif 000002
【特許請求の範囲】
【請求項１】
使用者を検知する人体検知手段と、他の電子機器の機能を遠隔制御するための無線信号を送信する無線信号送信手段とを有し、人体の局部を洗浄する局部洗浄機能を備えた衛生洗浄装置と、前記無線信号を受信する無線信号受信手段を有し、受信した前記無線信号に基づいて動作する電子機器とを備えたトイレシステムにおいて、
前記衛生洗浄装置は、前記人体検知手段による検知結果を人体検知無線信号として、前記無線信号送信手段に送信させる制御を行う送信制御手段を有し、
前記電子機器は、前記無線信号受信手段を第１の間欠周期により間欠動作させて前記無線信号を受信させておき、前記人体検知無線信号を受信すると、前記第１の間欠周期よりも短い第２の間欠周期により間欠動作させて前記無線信号を受信させる制御を行う受信制御手段を有することを特徴とするトイレシステム。
【請求項２】
使用者の操作に対応した操作信号を前記衛生洗浄装置へ送信することにより、前記衛生洗浄装置が備える機能を遠隔制御するリモコン装置を設け、
前記衛生洗浄装置は、前記操作信号を受信する操作信号受信手段を有し、
前記送信制御手段は、前記リモコン装置から受信した前記操作信号に対応する操作無線信号を前記無線信号送信手段により前記電子機器へ送信させる制御を行うことを特徴とする請求項１に記載のトイレシステム。
【請求項３】
前記衛生洗浄装置が備える前記無線信号送信手段は、前記操作無線信号を送信する場合に、前記第２の間欠周期よりも長く前記第１の間欠周期よりも短い時間、前記操作無線信号を繰り返し送信する一方、前記人体検知無線信号を送信する場合に、前記第１の間欠周期よりも長い時間、前記人体検知無線信号を繰り返し送信することを特徴とする請求項２に記載のトイレシステム。
【発明の詳細な説明】
【技術分野】
【０００１】
本発明は、トイレシステムに関するものであり、特に、トイレブース内の使用者を検知する人体検知手段と、他の電子機器の機能を遠隔制御するための無線信号を送信する無線信号送信手段とを有し、人体の局部を洗浄する局部洗浄機能を備えた衛生洗浄装置と、前記無線信号を受信する無線信号受信手段を有し、受信した前記無線信号に基づいて動作する電子機器とを備えたトイレシステムに関するものである。
【背景技術】
【０００２】
従来より、トイレブース内に使用者の局部を洗浄する衛生洗浄装置と共に、他の機能を備えた電子機器を設けることにより、トイレ使用時の快適性や利便性を向上させる様々なトイレシステムが提案されていた。
【０００３】
たとえば、特許文献１には、使用者の局部を洗浄する衛生洗浄装置と、この衛生洗浄装置を使用する使用者の足元を暖房する暖房機器とを備えたトイレシステムが記載されている。
【０００４】
このトイレシステムでは、衛生洗浄装置側に使用者が着座したことを検知する着座検出部と、着座検出部の検出結果を示す無線信号を暖房機器へ送信する無線信号送信部とを設けると共に、暖房機器側に無線信号を受信する無線信号受信部を設けていた。
【０００５】
そして、暖房機器側では、無線信号受信部に無線信号の受信動作をさせておき、着座検出部が使用者の着座を検出したことを示す無線信号を受信すると、暖房機器の暖房機能を起動させて使用者の足元を暖房するように構成されていた。
【特許文献１】特許第２９８５３８１号公報
【発明の開示】
【発明が解決しようとする課題】
【０００６】
上記従来のトイレシステムでは、他の電子機器が暖房機器という比較的消費電力の大きな電子機器であったため、電源を商用電源から得るように構成されており、電子機器の配設位置が必然的にコンセントの配設位置近傍に制限される。
【０００７】
しかし、トイレシステムに適用される電子機器は、これに限らず、例えば、使用者のトイレブースへの入室をセンサにより検知して音楽を再生する音楽再生装置や、使用者がトイレに入室すると所定の香りを発する芳香装置等、様々な電子機器が想定される。
【０００８】
このような音楽再生装置や芳香装置等の電子機器は、トイレブースの形状やレイアウト毎に、それぞれ好適な配設位置がある。
【０００９】
特に、上記音楽再生装置を取付ける場合には、使用者がより自然に、且つ、良い音質で音楽を視聴可能な位置に配設することが望まれる。
【００１０】
近年、音楽再生装置等の電子機器は低消費電力化が進んでいるため、電池を電源として動作可能な音楽再生装置をトイレシステムに適用することで、電子機器の配設位置の制限を緩和することも可能ではあるが、この場合、上記従来のトイレシステムのように、衛生洗浄装置からの無線信号を常時受信させていては、無線受信部による消費電力が増大してしまい、電池寿命が短くなり、連続使用時間を延長することが困難であった。
【課題を解決するための手段】
【００１１】
そこで、請求項１に係る本発明では、使用者を検知する人体検知手段と、他の電子機器の機能を遠隔制御するための無線信号を送信する無線信号送信手段とを有し、人体の局部を洗浄する局部洗浄機能を備えた衛生洗浄装置と、無線信号を受信する無線信号受信手段を有し、受信した無線信号に基づいて動作する電子機器とを備えたトイレシステムにおいて、衛生洗浄装置は、人体検知手段による検知結果を人体検知無線信号として、無線信号送信手段に送信させる制御を行う送信制御手段を有し、電子機器は、無線信号受信手段を第１の間欠周期により間欠動作させて無線信号を受信させておき、人体検知無線信号を受信すると、第１の間欠周期よりも短い第２の間欠周期により間欠動作させて無線信号を受信させる制御を行う受信制御手段を有することを特徴とする。
【００１２】
また、請求項２に係る本発明では、請求項１に記載のトイレシステムにおいて、使用者の操作に対応した操作信号を衛生洗浄装置へ送信することにより、衛生洗浄装置が備える機能を遠隔制御するリモコン装置を設け、衛生洗浄装置は、操作信号を受信する操作信号受信手段を有し、送信制御手段は、リモコン装置から受信した操作信号に対応する操作無線信号を無線信号送信手段により電子機器へ送信させる制御を行うことを特徴とする。
【００１３】
また、請求項３に係る本発明では、請求項２に記載のトイレシステムにおいて、衛生洗浄装置が備える前記無線信号送信手段は、操作無線信号を送信する場合に、第２の間欠周期よりも長く第１の間欠周期よりも短い時間、操作無線信号を繰り返し送信する一方、人体検知無線信号を送信する場合に、第１の間欠周期よりも長い時間、人体検知無線信号を繰り返し送信することを特徴とする。
【発明の効果】
【００１４】
本発明によれば、以下に記載するような効果が生起する。
【００１５】
すなわち、請求項１に係る本発明では、使用者を検知する人体検知手段と、他の電子機器の機能を遠隔制御するための無線信号を送信する無線信号送信手段とを有し、人体の局部を洗浄する局部洗浄機能を備えた衛生洗浄装置と、無線信号を受信する無線信号受信手段を有し、受信した無線信号に基づいて動作する電子機器とを備えたトイレシステムにおいて、衛生洗浄装置は、人体検知手段による検知結果を人体検知無線信号として、無線信号送信手段に送信させる制御を行う送信制御手段を有し、電子機器は、無線信号受信手段を第１の間欠周期により間欠動作させて無線信号を受信させておき、人体検知無線信号を受信すると、第１の間欠周期よりも短い第２の間欠周期により間欠動作させて無線信号を受信させる制御を行う受信制御手段を有することを特徴とするため、トイレ内に使用者がいないときに、無線信号受信手段が消費する電力量を低減することができ、その結果、電子機器が電池で動作するものであった場合に、電池寿命を可及的に延ばすことができるので、電子機器の連続使用時間を可及的に延長可能で、且つ、電子機器の配設位置の自由度を向上させたトイレシステムを提供することができる。
【００１６】
また、請求項２に係る本発明では、請求項１に記載のトイレシステムにおいて、使用者の操作に対応した操作信号を衛生洗浄装置へ送信することにより、衛生洗浄装置が備える機能を遠隔制御するリモコン装置を設け、衛生洗浄装置は、操作信号を受信する操作信号受信手段を有し、送信制御手段は、リモコン装置から受信した操作信号に対応する操作無線信号を無線信号送信手段により電子機器へ送信させる制御を行うことを特徴とするため、使用者によるリモコン装置の操作に応じて、衛生洗浄装置経由して電子機器を制御することができるので、リモコン装置と電子機器との間に新たな通信手段を設けることなく、リモコン装置の操作に応じて電子機器を動作させることができる。
【００１７】
特に、電子機器が所定の音声ガイド情報を再生する機能を備えている場合には、使用者によるリモコン装置の操作に対応した機能が衛生洗浄装置により作動していることを使用者に確認させることもできる。
【００１８】
また、請求項３に係る本発明では、請求項２に記載のトイレシステムにおいて、衛生洗浄装置が備える前記無線信号送信手段は、操作無線信号を送信する場合に、第２の間欠周期よりも長く第１の間欠周期よりも短い時間、操作無線信号を繰り返し送信する一方、人体検知無線信号を送信する場合に、第１の間欠周期よりも長い時間、人体検知無線信号を繰り返し送信することを特徴とするため、衛生洗浄装置から送信される無線信号を電子機器の無線信号受信手段によって確実に受信することができる。
【発明を実施するための最良の形態】
【００１９】
本発明に係るトイレシステムは、トイレブース内の便器に取付けられて、使用者の局部を自動的に洗浄する局部洗浄機能を有する衛生洗浄装置と、この衛生洗浄装置とは別体に構成され、トイレブース内に設けられる電子機器とを備えたトイレシステムである。
【００２０】
また、この衛生洗浄装置は、前記局部洗浄機能に加え、使用者の局部を乾燥させる乾燥機能や、便座の温度を使用者にとって快適な温度に保つ暖房機能等、使用者がトイレを利用する際の快適性や利便性を向上させるための複数種類の機能を備えている。
【００２１】
さらに、衛生洗浄装置は、トイレブース内の使用者を検知する人体検知手段を備えており、この人体検知手段による検知結果に基づいて、便蓋の自動開閉を行う自動開閉機能を備えている。
【００２２】
また、人体検知手段は、トイレブース内への使用者の入室を検知する入室検知手段と、使用者の衛生洗浄装置への接近を検知する接近検知手段と、使用者の便座への着座を検知する着座検知手段という３つの検知手段から構成しており、これら各検知手段の検知結果に基づいて、上記複数種類の機能のうち所定の機能を作動させるようにしている。
【００２３】
この衛生洗浄装置は、電子機器へ無線信号を送信する無線信号送信手段を備えており、さらに、人体検知手段による検知結果を人体検知無線信号として無線信号送信手段により送信させる制御を行う送信制御手段を備えている。
【００２４】
また、トイレブース内に設ける電子機器は、衛生洗浄装置の無線信号送信手段が送信した無線信号を受信する無線信号受信手段を備え、受信した無線信号に基づいて電池を電源として動作するように構成せいている。
【００２５】
特に、この電子機器は、無線信号受信手段を所定の間欠周期により間欠的に動作させる制御を行う受信制御手段を備えており、この受信制御手段は、トイレブースに使用者がいないときに、無線信号受信手段を第１の間欠周期により間欠的に動作させて、衛生洗浄装置からの無線信号を受信させておき、人体検知無線信号を受信すると、第１の受信周期よりも短い第２の間欠周期により無線信号受信手段を間欠的に動作させて無線信号を動作させる制御を行う。
【００２６】
そして、この電子機器は、無線信号受信手段によって、衛生洗浄装置の人体検知手段が人体を検知したことを示す人体検知無線信号を受信すると、当該電子機器が備える特定の機能を作動させるようにしている。
【００２７】
このように、本発明のトイレシステムでは、電子機器の受信制御手段がトイレブース内に使用者がいない間は、比較的長い第１の間欠周期により無線信号受信手段を間欠動作させ、衛生洗浄装置の人体検知手段が使用者を検知すると、第１の間欠周期よりも短い第２の間欠周期により無線信号受信手段を間欠動作させるように無線信号の受信制御を行うので、トイレ内に使用者がいないときに、無線信号受信手段が消費する電力量を低減することができ、その結果、電子機器が電池で動作するものであった場合に、電池寿命を可及的に延ばすことができるので、電子機器の連続使用時間を可及的に延長可能で、且つ、電子機器の配設位置の自由度を向上させたトイレシステムを提供することができる。
【００２８】
そのため、例えば、この電子機器に音楽情報を記憶させた記憶手段と、記憶手段に記憶させた音楽情報を再生する制御手段と、制御手段により再生した音楽を出力する出音手段とを設け、これら各手段を電池を電源として動作させるように構成すれば、使用者が音楽を聴くのに適した任意の位置にこの電子機器を配設することができ、良質な音質で音楽を聴くことができ、しかも、頻繁に電子機器の電池を交換する必要もない。
【００２９】
また、このトイレシステムは、トイレブースの壁面等の使用者が操作しやすい位置に、上記電子機器とは別体に構成され、衛生洗浄装置が備える各種機能を使用者の操作に基づいて遠隔制御するリモコン装置を備えている。
【００３０】
このリモコン装置は、使用者が操作するための複数のボタンスイッチからなる操作手段と、使用者による前記操作手段の操作に応じた操作信号を前記衛生洗浄装置へ無線通信により送信する操作信号送信手段とを備えている。
【００３１】
一方、衛生洗浄装置は、リモコン装置から送信される操作信号を受信する操作信号受信手段を備えており、この操作信号受信手段により受信した操作信号に基づいて、局部洗浄機能や局部乾燥機能等といった、各種機能を作動させるようにしている。
【００３２】
また、この衛生洗浄装置の送信制御手段は、操作信号受信手段により操作信号を受信すると、受信した操作信号に対応する操作無線信号を電子機器へ無線信号送信手段により送信させる制御を行うようにしている。
【００３３】
そして、電子機器の無線信号受信手段は、衛生洗浄装置から受信する無線信号の種類によって、無線信号の間欠受信周期を変更するように構成しており、具体的には、無線信号受信手段は、無線信号の間欠受信動作を行う間欠周期として、第１の間欠周期と、この第１の間欠周期よりも短い第２の間欠周期という２種類の間欠周期を備えている。
【００３４】
そして、電子機器の受信制御手段は、トイレブース内に使用者がいない間、第１の間欠周期で無線信号受信手段に受信動作を行わせる制御を行い、衛生洗浄装置の人体検知手段が使用者を検知したことを示す人体検知無線信号を無線信号受信手段により受信した場合に、無線信号受信手段に比較的に間欠周期の短い第２の間欠周期で受信動作を行わせる制御を行う。
【００３５】
その後、受信制御手段は、無線信号受信手段によって、衛生洗浄装置の人体検知手段が人体を検知しなくなったことを示す無線信号を受信すると、無線受信手段を再度第１の間欠周期により間欠動作させる制御を行う。
【００３６】
そして、衛生洗浄装置は、リモコン装置が使用者により操作されたときに送信する操作信号を受信すると、その操作信号に対応させた操作無線信号を電子機器へ送信するようにしている。
【００３７】
このとき、トイレブース内には、リモコン装置を操作した使用者がいるため、電子機器は、第２の間欠周期により間欠受信動作を行っている状態となっている。
【００３８】
そして、この受信制御手段は、第２の間欠周期により動作して無線信号の受信を行っているときに、衛生洗浄装置から操作無線信号を受信すると、受信した操作無線信号に対応した所定の機能を起動する制御を行う。
【００３９】
このように、本発明のトイレシステムの電子機器では、トイレブース内に使用者がいる間、すなわち、リモコン装置が操作される可能性が高い間は、間欠受信周期が比較的短い第２の間欠周期により動作して操作無線信号を受信するように構成しているため、使用者がリモコン装置の操作をし、リモコン装置から衛生洗浄装置へ操作信号を送信してから、電子機器がその操作信号に対応した操作無線信号に応答して所定の機能を起動するまでの応答速度を可及的に高めることができる。
【００４０】
また、トイレブース内に使用者がおらず、リモコン装置が操作される可能性が低い間、電子機器は、第２の間欠周期よりも長い第１の間欠周期により動作して人体検知無線信号を受信するように構成しているため、電子機器の電源である電池の消耗を可及的に低減することができ、長期にわたり電池交換をすることなく電子機器を使用することができる。
【００４１】
また、衛生洗浄装置が備える無線信号送信手段は、リモコン装置から操作信号を受信し、その操作信号に対応する操作無線信号を送信する場合に、第２の間欠周期よりも長く第１の間欠周期よりも短い時間、操作無線信号を繰り返し送信するようにしている。
【００４２】
このようにリモコン装置から衛生洗浄装置へ操作信号が送信されるときには、当然トイレブース内に使用者がいるため、電子機器側は、上記のように第２の間欠周期により動作して操作無線信号を受信している。
【００４３】
そのため、このとき衛生洗浄装置が第２の間欠周期よりも長い時間、無線信号を送信すれば、電子機器が操作無線信号を受信しそこなうことがなく、リモコン装置が送信する操作信号に対応した操作無線信号を確実に受信することができる。
【００４４】
一方、衛生洗浄装置の無線信号送信手段は、リモコン装置から受信した操作信号に対応させた操作無線信号以外の無線信号、たとえば、人体検知手段による検知結果を示す人体検知無線信号等を送信する場合には、第１の間欠周期よりも長い時間、無線信号を繰り返し送信するようにしている。
【００４５】
上記したように、比較的に応答速度が問題にならない人体検知無線信号等を受信するときに電子機器は、比較的長い間欠周期である第１の間欠周期により動作して無線信号を受信するようにしているため、衛生洗浄装置の無線信号送信手段に、電子機器が第１の間欠周期で動作して無線信号を受信している間、第１の間欠周期よりも長い時間無線信号を繰り返し送信させることで、電子機器に無線信号を確実に受信させることができる。
【００４６】
また、本発明に係るトイレシステムが備える電子機器は、衛生洗浄装置の人体検知手段の検知結果、及び、使用者によるリモコン装置の操作に応じて、衛生洗浄装置から送信される無線信号に基づいて所定の機能を作動させるものであれば、任意の電子機器により構成することができる。
【００４７】
たとえば、トイレブースに設ける電子機器として、衛生洗浄装置の人体検知手段が人体を検知すると、トイレブース内に所定の香りを発生させる芳香装置や、同じく人体検知手段が人体を検知すると、トイレ内の換気等を行う空調装置等に適用することができる。
【００４８】
中でも、衛生洗浄装置の人体検知手段がトイレブース内への使用者の入室を検知すると、予め記憶させておいた音楽情報を再生する音再生装置に本発明を適用すると効果的であり、こうすることにより、トイレを利用する使用者をリラックスさせることができ、トイレブース内で過ごす時間を有意義なものにすることができる。
【００４９】
また、この電子機器に、衛生洗浄装置やリモコン装置の設定状態等や操作方法等を音声ガイドするための音声情報を記憶させておけば、衛生洗浄装置を初めて利用する使用者に対して、音声ガイダンスを再生することもできるので、衛生洗浄装置の使い易さを向上させることができる。
【００５０】
この場合、電子機器に、上記した各手段に加え、複数種類の音声情報、及び、音楽情報等の音情報を記憶する音情報記憶手段と、音情報記憶手段に記憶した音情報を再生する音情報再生手段と、これら音情報記憶手段及び音情報再生手段の動作を制御する制御手段を設ける。
【００５１】
そして、電子機器の受信制御手段は、無線信号受信手段により、衛生洗浄装置の人体検知手段がトイレブースへの使用者の入室を検知したことを示す人体検知無線信号を受信した場合に、第２の間欠周期による受信動作を開始させる制御を行う。
【００５２】
その後、制御手段は、無線信号受信手段により、使用者の衛生洗浄装置への接近を示す無線信号、又は、使用者の便座への着座を示す無線信号を受信した場合に、音情報再生手段を作動させて音楽情報を再生させる制御を行うようにする。
【００５３】
また、制御手段は、無線信号受信手段により、使用者がリモコン装置を操作したことを示す操作無線信号を受信した場合には、その操作に対応した音声情報を音情報再生手段に再生させる制御を行うようにする。
【００５４】
そして、制御手段は、使用者の衛生洗浄装置への接近を示す無線信号、又は、使用者の便座への着座を示す無線信号を受信していない時間が所定時間を超えた場合に、音情報再生手段による音楽情報の再生を停止させる制御を行うようにする。
【００５５】
以下、本実施形態に係るトイレシステムの一実施形態について、図面を参照して具体的に説明する。なお、以下の説明では、トイレシステムに設ける電子機器として、衛生洗浄装置の人体検知手段がトイレブース内への使用者の入室を検知した場合に、予め記憶させておいた音楽情報を再生する音楽再生機能と、使用者によりリモコン装置が操作された場合には、その操作に応じた音声ガイドを再生する音声ガイド機能とを備えた音情報再生装置をトイレブース内に設けた場合を例に挙げて説明する。
【００５６】
図１は、本実施形態に係るトイレシステムを採用したトイレブースを示す斜視図であり、図２は、音情報再生装置の概観を示す斜視図であり、図３は、リモコン装置の概観を示す斜視図であり、図４は、音情報再生装置の電気的構成を示す機能ブロック図であり、図５は、衛生洗浄装置の電気的構成を示す機能ブロック図であり、図６は、リモコン装置の電気的構成を示す機能ブロック図であり、図７は、第１の間欠周期を示すタイミングチャートであり、図８は、第２の間欠周期を示すタイミングチャートであり、図９及び図１０は、衛生洗浄装置の制御部が行う処理を示すフローチャートであり、図１１は、音情報再生装置の制御部が行う処理を示すフローチャートであり、図１２は、リモコン装置の制御部が行う処理を示すフローチャートである。
【００５７】
（トイレシステム構成）
図１に示すように、トイレシステム１は、トイレブース２に設置されている便器３に取付けられた衛生洗浄装置４と、トイレブース２の壁面に取付けられた電子機器である音情報再生装置５と、この音情報再生装置５に着脱自在に取付けられたリモコン装置６とを備えている。
【００５８】
（衛生洗浄装置の概観）
衛生洗浄装置４は、衛生洗浄装置本体７と、この衛生洗浄装置本体７と一体に設けられている便座８と、衛生洗浄装置本体７に回動自在に設けられた便蓋９とを備えている。
【００５９】
そして、衛生洗浄装置本体７には、トイレブース２内の使用者を検知する人体検知手段として機能するセンサ１０を備えている。
【００６０】
このセンサ１０は、トイレブース２への使用者の入室を検知する入室検知手段として機能する入室センサと、使用者の衛生洗浄装置４への接近を検知する接近検知手段として機能する接近センサと、使用者の便座８への着座を検知する着座検知手段として機能する着座センサという３つのセンサにより構成されている。
【００６１】
本実施形態では、これら３種類のセンサの内、入室センサによる使用者の検出結果に基づいて、音情報再生装置５の間欠周期を切り替えるようにしている。
【００６２】
ここで、入室センサは、人体などから発せられる赤外線を検出する焦電型赤外線センサを使用し、接近センサは、接近する使用者へ向けて所定波長の光を照射し、その光が使用者に反射した反射光を受光して、使用者が接近しているか否かを検出する赤外線センサにより構成している。
【００６３】
また、着座センサは、便座８に着座している使用者へ向けて所定波長の光を照射し、その光が使用者に反射した反射光を受光して、使用者が着座しているか否かを検出する赤外線センサにより構成している。
【００６４】
そして、この衛生洗浄装置４は、接近センサにより使用者の便器３への接近を検知すると、便蓋９を自動的に開放状態にすると共に、使用者を検知しなくなると便蓋９を自動的に閉塞状態とする便蓋自動開閉機能を備えている。
【００６５】
また、この衛生洗浄装置４は、使用者の局部を自動洗浄する局部洗浄機能を備えており、局部を洗浄する際には、図１に示す洗浄ノズル１１から洗浄水を使用者の局部へ向けて噴射することにより、局部洗浄を行うようにしている。
【００６６】
この他、この衛生洗浄装置４は、便座８表面の温度を使用者が快適と感じる温度となるように制御する便座暖房機能や、節電機能等、様々な機能を備えている。
【００６７】
特に、この衛生洗浄装置４は、衛生洗浄装置本体７の内部に、音情報再生装置５へ対して無線信号を送信する無線信号送信手段として機能する無線送信回路と、リモコン装置から送信される操作信号を受信する操作信号受信手段として機能する無線受信回路とを備えている。
【００６８】
そして、衛生洗浄装置４は、センサ１０による検知結果を示す人体検知無線信号、又は、リモコン装置６から受信した操作信号に対応した無線信号を音情報再生装置５へ送信することによって、音情報再生装置５の音情報再生機能を作動させるように構成している。尚、図１に示す符号１２は、使用後の便器を洗浄するための洗浄水を貯留する貯水タンクであり、符号１２ａは、手動により便器３洗浄を行う際に操作する洗浄レバーである。
【００６９】
（音情報再生装置の概観）
音情報再生装置５は、図２に示すように、矩形板状の基板５ａと、この基板５ａの前面略中央に配設され、リモコン装置を掛止するためのハンガー５ｂと、基板５ａの前面でハンガー５ｂの両側に配設された一対の矩形箱形状の音情報再生装置本体５ｃとにより構成している。
【００７０】
また、各音情報再生装置本体５ｃの内部下方位置には、それぞれ音楽や音声を出力するためのスピーカ５ｄを設けている。
【００７１】
さらに、一方（図２では右側）の音情報再生装置本体５ｃの前面上部には、現在再生している音楽の曲名や、音情報再生装置５の動作状態等の情報を文字により表示する液晶表示部５ｅを備えており、この５ｅの下方には、音楽の再生や停止、音量の調節等を使用者の操作により行う操作ボタン５ｆを備えている。
【００７２】
（リモコン装置の概観）
リモコン装置６は、図３に示すように、薄型略矩形箱形状の筐体６ａと、この筐体６ａ上面両端部に設けられ、衛生洗浄装置４へ操作信号を送信するための操作信号送信部６ｂと、筐体６ａの上面及び前面に設けられ、衛生洗浄装置４の機能を遠隔制御するために使用者が操作する操作手段として機能する複数の操作スイッチ６ｃと、筐体６ａの全面略中央に設けられ、リモコン装置６の設定状態等を表示する液晶表示部６ｄと、この６ｄの両側に設けられ、衛生洗浄装置４の各種機能を設定するための複数の設定ボタン６ｅとを備えている。
【００７３】
また、このリモコン装置６には、設定時以外に設定ボタン６ｅを操作して誤設定が行われることを防止するために、設定ボタン６ｅの配設位置をカバーするためのカバー体６ｆを備えている。
【００７４】
このカバー体６ｆは、筐体６ａに配設しているヒンジ６ｇにより筐体６ａに開閉自在に取付けられており、その略中央には、カバー体６ｆを閉めた状態で液晶表示部６ｄの表示画面を部分的に視認可能とする窓６ｈと、特定の操作スイッチ６ｃをカバー体６ｆを閉めた状態で操作可能とするための複数の操作孔６ｉとを備えている。
【００７５】
（音情報再生装置の電気的構成）
次に、音情報再生装置５の電気的構成について説明する。音情報再生装置５は、図５に示すように、ＣＰＵ（Central Processing Unit）４０と、ＲＯＭ（Read Only Memory）４１と、ＲＡＭ（Random Access Memory）４２と、情報表示ユニット４３と、音情報出力ユニット４４と、バッテリーユニット４５と、操作ボタンユニット４６と、無線受信ユニット４７と、外部記憶装置接続ユニット４８とを備えている。
【００７６】
そして、ＲＯＭ４１、ＲＡＭ４２、情報表示ユニット４３、音情報出力ユニット４４、操作ボタンユニット４６、無線受信ユニット４７、外部記憶装置接続ユニット４８は、全てバスを介してＣＰＵ４０に接続している。
【００７７】
ＣＰＵ４０は、ＲＯＭ４１に記憶している各種プログラム読出して実行することにより、音情報再生装置５が備える情報表示ユニット４３、音情報出力ユニット４４、無線受信ユニット４７の動作を統括制御する演算処理装置である。
【００７８】
ＲＯＭ４１は、情報表示ユニット４３を動作させるための情報表示プログラム、音情報出力ユニット４４を動作させるための音情報出力プログラム、無線受信ユニット４７を動作させるための無線受信プログラム等、ＣＰＵ４０が音情報再生装置５全体を統括制御するために実行する各種プログラムを記憶している記憶装置である。
【００７９】
また、このＲＯＭ４１は、音情報出力ユニット４４により再生する音楽及び音声を示す複数種類の音情報を記憶しており、音情報記憶手段としても機能するものである。
【００８０】
ＲＡＭ４２は、ＣＰＵ４０がＲＯＭ４１から読出した各種プログラムを演算処理する際に、作業領域として用いる記憶装置である。
【００８１】
そして、本実施形態では、これらＣＰＵ４０とＲＯＭ４１とＲＡＭ４２とによって、音情報再生装置５全体の動作を統括制御する制御手段、及び、無線受信ユニット４７の動作を制御する受信制御手段として機能する制御部４０ａを構成している。
【００８２】
情報表示ユニット４３は、文字情報を表示する液晶表示装置と、液晶表示装置を駆動する液晶表示装置駆動回路とを備え、制御部４０ａが情報表示プログラムを実行することにより動作して、液晶表示部５ｅに現在再生している音楽の曲名や、音情報再生装置５の動作状態等を示す文字情報を表示するものである。
【００８３】
音情報出力ユニット４４は、ＲＯＭ４１及び外部記憶装置接続ユニット４８に記憶している音情報をデコードして電気信号に変換するデコーダ回路と、デコーダ回路によりデコードした電気信号を増幅するアンプと、アンプにより増幅した電気信号を音楽又は音声として出力するスピーカ５ｄとを備え、制御部４０ａが音情報出力プログラムを実行することにより作動する音情報再生手段として機能するものである。
【００８４】
バッテリーユニット４５は、音情報再生装置５の電源として機能する電池と、電池からの電力Ｖｃｃを音情報再生装置５の制御部４０ａ、情報表示ユニット４３、音情報出力ユニット４４、操作ボタンユニット４６、無線受信ユニット４７のそれぞれに供給する電力供給回路とにより構成している。
【００８５】
操作ボタンユニット４６は、使用者により操作される複数の操作ボタン５ｆにより構成しており、使用者による操作ボタン５ｆの操作に対応した信号を制御部４０ａに入力するものである。
【００８６】
そして、制御部４０ａは、これら操作ボタン５ｆから信号が入力されると、その信号に対応したプログラムを実行することにより、音情報出力ユニット４４に音情報の再生、停止、早送り、巻き戻し、音量の調整等の動作をさせる制御を行う。
【００８７】
無線受信ユニット４７は、衛生洗浄装置４から送信される電波による無線信号を受信する無線受信回路を備えており、制御部４０ａが無線受信プログラムを実行することにより動作する。
【００８８】
また、この無線受信ユニット４７は、無線信号の受信動作を常時行うものではなく、所定時間（ここでは、１０ｍｓｅｃ）無線受信回路をＯＮ状態とし、その後、所定時間無線受信回路をＯＦＦ状態とする間欠受信動作を行うようにしている。
【００８９】
こうすることにより、この無線受信ユニット４７では、無線受信回路が消費する電力を可及的に低減するようにしている。
【００９０】
さらに、この無線受信ユニット４７は、図７（ａ）、図８（ａ）に示すように、第１の間欠周期と第２の間欠周期という異なる２種類の間欠受信動作周期を備えている。
【００９１】
第１の間欠周期は、図７（ａ）に示すように、１０ｍｓｅｃの間無線受信回路をＯＮ状態とし、その後、７４０ｍｓｅｃの間無線受信回路をＯＦＦ状態とする間欠受信周期である。
【００９２】
また、第２の間欠周期は、図８（ａ）に示すように、１０ｍｓｅｃの間無線受信回路をＯＮ状態とし、その後、２４０ｍｓｅｃの間無線受信回路をＯＦＦ状態とする間欠受信周期である。
【００９３】
そして、音情報再生装置５の制御部４０ａは、衛生洗浄装置４のセンサ１０がトイレブース２内の使用者を検知するまでの間、第１の間欠周期に従って無線受信回路のＯＮ・ＯＦＦ状態を切り替えて無線信号を受信させておき、センサ１０がトイレブース２内の使用者を検知したことを示す人体検知無線信号を受信すると、その後、第２の間欠周期に従って無線受信回路のＯＮ・ＯＦＦ状態を切替えて、衛生洗浄装置４から送信される操作無線信号を間欠受信するようにしている。
【００９４】
すなわち、この無線受信ユニット４７では、トイレブース２内に使用者が存在し、リモコン装置６が操作される可能性があり、使用者がリモコン装置６を操作した場合に、即座にその操作に対応した音情報を再生できるように、比較的短い間欠周期により操作無線信号の受信を行って、無線受信回路の消費電力を低減しつつも、使用者によるリモコン装置６の操作に対する応答性を向上させるようにしている。
【００９５】
また、制御部４０ａは、衛生洗浄装置４のセンサ１０がトイレブース２内の使用者を検知しなくなってから、所定時間（例えば１０ｓｅｃ）経過したことを示す無線信号を受信すると、その後、第１の間欠周期に従って無線受信回路のＯＮ・ＯＦＦ状態を切替えて、衛生洗浄装置４から次に送信される人体検知無線信号を間欠受信するようにしている。
【００９６】
すなわち、この無線受信ユニット４７では、トイレブース２内に使用者が存在せず、リモコン装置６が操作される可能性が低い間、第２間欠周期よりも長い第１の間欠周期に従って無線受信回路を動作させて無線信号の受信を行って、無線受信回路の消費電力を可及的に低減させるようにしている。
【００９７】
外部記憶装置接続ユニット４８は、複数種類の音楽情報を記憶した外部記憶装置４９を接続して、外部記憶装置４９に記憶している音情報をＲＡＭ４２又は音情報出力ユニット４４へ送信するインターフェースである。
【００９８】
この外部記憶装置接続ユニット４８に接続する外部記憶装置４９は、使用者がパソコン等の外部端末装置を用いて記憶させた複数種類の音楽情報を記憶する音情報記憶手段として機能するものであり、外部記憶装置接続ユニット４８に着脱自在に構成している。
【００９９】
（衛生洗浄装置の電気的構成）
次に、衛生洗浄装置４の電気的構成について説明する。衛生洗浄装置４は、図５に示すように、ＣＰＵ５０と、ＲＯＭ５１と、ＲＡＭ５２と、無線受信ユニット５３と、局部洗浄ユニット５４と、便座暖房ユニット５５と、便蓋開閉ユニット５６と、無線送信ユニット５７と、入室センサ１０ａと、接近センサ１０ｂと、着座センサ１０ｃとを備えている。
【０１００】
そして、ＲＯＭ５１、ＲＡＭ５２、無線受信ユニット５３、局部洗浄ユニット５４、便座暖房ユニット５５、便蓋開閉ユニット５６、無線送信ユニット５７、入室センサ１０ａ、接近センサ１０ｂ、着座センサ１０ｃは、全てバスを介してＣＰＵ５０に接続している。
【０１０１】
ＣＰＵ５０は、ＲＯＭ５１に記憶している各種プログラム読出して実行することにより、衛生洗浄装置４が備える各ユニット２３〜２７、及び、各センサ２８〜３０の動作を統括制御する演算処理装置である。
【０１０２】
ＲＯＭ５１は、無線受信ユニット５３を動作させるための無線受信プログラム、局部洗浄ユニット５４を動作させるための局部洗浄プログラム、便座暖房ユニット５５を動作させるための便座暖房プログラム、便蓋開閉ユニット５６を動作させるための便蓋開閉プログラム、無線送信ユニット５７を動作させるための無線送信プログラム、入室センサ１０ａ、接近センサ１０ｂ、着座センサ１０ｃをそれぞれ動作させるためのセンサ動作プログラム等、ＣＰＵ５０が衛生洗浄装置４全体を統括制御するために実行する各種プログラムを記憶している記憶装置である。
【０１０３】
ＲＡＭ５２は、ＣＰＵ５０がＲＯＭ５１から読出した各種プログラムを演算処理する際に、作業領域として用いる記憶装置である。
【０１０４】
そして、本実施形態では、これらＣＰＵ５０とＲＯＭ５１とＲＡＭ５２とによって、衛生洗浄装置４全体の動作を統括制御する制御手段、及び、無線送信ユニット５７の動作を制御する送信制御手段として機能する制御部５０ａを構成している。
【０１０５】
無線受信ユニット５３は、リモコン装置６が衛生洗浄装置４の機能を遠隔制御するために送信する光信号からなる操作信号を受信（受光）する受光部と、この受光部により受光した光信号を電気信号に変換する光電変換回路とを備え、制御部５０ａが無線受信プログラムを実行することにより動作して操作信号を受信する操作信号受信手段として機能するものである。
【０１０６】
そして、この無線受信ユニット５３は、電気信号に変換した操作信号をバスを介して制御部５０ａへ送信する。
【０１０７】
この操作信号を受信した制御部５０ａは、受信した操作信号に対応したプログラムを実行することにより、使用者によるリモコン装置６の操作に対応した機能を作動させる。
【０１０８】
また、このとき制御部５０ａは、無線送信プログラムを実行することにより無線送信ユニット５７を動作させて、リモコン装置６から受信した操作信号に対応する電波による操作無線信号を、音情報再生装置５へ向けて送信させる。
【０１０９】
局部洗浄ユニット５４は、洗浄水を所定の温度まで加熱する温水ヒータと、加熱した洗浄水を噴出するためのポンプ装置と、ポンプ装置が噴出させた洗浄水を使用者の局部へ向けて噴射させる洗浄ノズル１１とを備えている。
【０１１０】
そして、この局部洗浄ユニット５４は、使用者がリモコン装置６の「おしり」と書かれた操作スイッチ６ｃを押圧操作したときに衛生洗浄装置４から送信される操作信号を無線受信ユニット５３により受信すると、制御部５０ａが局部洗浄プログラムを実行することにより動作して、使用者の局部を洗浄する。
【０１１１】
その後、使用者が「止」と書かれた操作スイッチ６ｃを押圧操作すると、その操作に対応した操作信号をリモコン装置６から受信して、動作を停止させる。
【０１１２】
便座暖房ユニット５５は、便座８内部に設けた便座ヒータと、便座ヒータの温度を検知する便座温度センサと、便座ヒータへの通電量を制御する通電制御回路とを備えている。
【０１１３】
そして、この便座暖房ユニット５５は、制御部５０ａが便座暖房プログラムを実行することにより動作して、通電制御回路が予め使用者により設定された便座温度となるように便座ヒータへの通電量を制御することにより、便座の表面温度を使用者が快適に感じる温度となるように暖房する。
【０１１４】
便蓋開閉ユニット５６は、便座８と便蓋９とを同時に、又は、それぞれ個別に開閉動作させるモータを備えている。
【０１１５】
そして、この便蓋開閉ユニット５６は、接近センサ１０ｂによって、使用者が便器３へ接近したことを検知すると、モータを駆動させて便蓋９を自動的に開放し、接近センサ１０ｂ又は着座センサ１０ｃが人体を検知しなくなってから所定時間が経過した後に、再度モータを駆動した便蓋を自動的に閉塞させる。
【０１１６】
無線送信ユニット５７は、音情報再生装置５へ向けて電波による無線信号を送信する無線送信回路を備えており、制御部５０ａが無線送信プログラムを実行することによって動作する。
【０１１７】
そして、この無線送信ユニット５７は、無線信号を送信する際に、センサ１０による検知結果を示す人体検知無線信号、又は、衛生洗浄装置４から受信した操作信号に対応させた無線信号を所定時間繰り返し送信するようにしている。
【０１１８】
特に、この無線送信ユニット５７は、図７（ｂ）、図８（ｂ）に示すように、上記無線信号を繰り返し送信する時間として、第１送信長と第２送信長という２種類の送信時間を備えている。
【０１１９】
第１送信長は、図７（ｂ）に示すように、１フレーム５７ｍｓｅｃの無線信号を１５回繰り返し送信するものであり、その送信時間は、音情報再生装置５における第１の間欠周期よりも長い時間となるようにしている。
【０１２０】
そして、衛生洗浄装置４の制御部５０ａは、センサ１０による検知結果を示す人体検知無線信号を送信する場合に、この第２送信長により１５フレームの人体検知無線信号を繰り返し送信する制御を行うことによって、音情報再生装置５が確実に人体検知無線信号を受信できるようにしている。
【０１２１】
すなわち、センサ１０による検知結果を示す信号を送信する場合に、音情報再生装置５では、第１の間欠周期又は第２の間欠周期のどちらか一方の間欠周期に従って無線受信回路による受信動作を行っている。
【０１２２】
しかし、このように第１の間欠周期よりも長い第１送信長により人体検知無線信号を送信すれば、音情報再生装置５がいずれの間欠周期により無線受信回路を動作させていたとしても、確実にセンサ１０による検知結果を示す無線信号を受信させることができる。
【０１２３】
また、第２送信長は、図８（ｂ）に示すように、１フレーム５７ｍｓｅｃの操作無線信号を６回繰り返し送信するものであり、その送信時間は、音情報再生装置５における第２の間欠周期よりも長く、第１の間欠周期よりも短い時間となるようにしている。尚図７及び図８では、無線信号の送信単位であるフレームを「フレ」と略して記載している。
【０１２４】
そして、衛生洗浄装置４の制御部５０ａは、リモコン装置６から受信した操作信号に対応する操作無線信号を送信する場合に、この第２送信長により６フレームの無線信号を繰り返し送信する制御を行うことによって、音情報再生装置５が確実に無線信号を受信できるようにしている。
【０１２５】
すなわち、リモコン装置６が操作されたときには、当然トイレブース２内に使用者が存在するため、このとき音情報再生装置５の制御部５０ａは、第２の間欠周期により無線受信回路を動作させて操作無線信号を間欠受信させている。
【０１２６】
そのため、無線送信ユニット５７により、第２の間欠周期よりも長く第１の間欠周期よりも短い第２送信長により操作無線信号を送信すれば、音情報再生装置５側で確実に操作無線信号を受信できることになる。
【０１２７】
入室センサ１０ａは、トイレブース２内にいる使用者などから発せられる赤外線を検出する焦電型赤外線センサを使用し、集光レンズでその検出範囲を分割して使用者の位置関係を検出できる構成にしている。
【０１２８】
そして、この入室センサ１０ａは、制御部５０ａがセンサ動作プログラムを実行することによって動作し、この入室センサ１０ａの出力を検出することにより使用者のトイレブース２内への入室を検知する。
【０１２９】
接近センサ１０ｂは、便器３の前方へ接近する使用者へ向けて所定波長の光を照射し、その光が使用者に反射した反射光を受光して、使用者が接近しているか否かを検出している。
【０１３０】
そして、この接近センサ１０ｂは、制御部５０ａがセンサ動作プログラムを実行することによって動作し、この接近センサ１０ｂの出力を検出することにより使用者の便器３への接近を検知する。
【０１３１】
着座センサ１０ｃは、便座８の着座面近傍へ向けて所定波長の光（赤外光）を照射する光照射部と、その光が使用者に反射した反射光を受光部と、受光部により受光した光信号を電子信号に変換する光電変換回路とを備えた赤外線センサにより構成している。
【０１３２】
そして、この着座センサ１０ｃは、制御部５０ａがセンサ動作プログラムを実行することによって動作し、受光部により受光した光信号に基づいて使用者の便座８への着座を検知する。
【０１３３】
（リモコン装置の電気的構成）
次に、リモコン装置６の電気的構成について説明する。リモコン装置６は、図６に示すように、ＣＰＵ６０と、ＲＯＭ６１と、ＲＡＭ６２と、情報表示ユニット６３と、バッテリーユニット６４と、操作ボタンユニット６５と、設定ボタンユニット６６と、無線送信ユニット６７とを備えている。
【０１３４】
そして、ＲＯＭ６１、ＲＡＭ６２、情報表示ユニット６３、操作ボタンユニット６５、設定ボタンユニット６６、無線送信ユニット６７は、全てバスを介してＣＰＵ６０に接続している。
【０１３５】
ＣＰＵ６０は、ＲＯＭ６１に記憶している各種プログラムを読出して実行することにより、リモコン装置６が備える情報表示ユニット６３及び無線送信ユニット６７の動作を統括制御する演算処理装置である。
【０１３６】
ＲＯＭ６１は、情報表示ユニット６３を動作させるための情報表示プログラム、無線送信ユニット６７を動作させるための無線送信プログラム等、ＣＰＵ６０がリモコン装置６全体を統括制御するために実行する各種プログラムを記憶している記憶装置である。
【０１３７】
ＲＡＭ６２は、ＣＰＵ６０がＲＯＭ６１から読出した各種プログラムを演算処理する際に、作業領域として用いる記憶装置である。
【０１３８】
そして、本実施形態では、これらＣＰＵ６０とＲＯＭ６１とＲＡＭ６２とによって、衛生洗浄装置４全体の動作を統括制御する制御手段として機能する制御部６０ａを構成している。
【０１３９】
情報表示ユニット６３は、文字情報を表示する液晶表示装置と、液晶表示装置を駆動する液晶表示装置駆動回路とを備え、制御部６０ａが情報表示プログラムを実行することにより動作して、液晶表示部６ｄにリモコン装置６の設定状態等を示す文字情報を表示するものである。
【０１４０】
バッテリーユニット６４は、リモコン装置６の電源として機能する電池と、電池からの電力Ｖｃｃをリモコン装置６の制御部６０ａ、情報表示ユニット６３、操作ボタンユニット６５、設定ボタンユニット６６、無線送信ユニット６７のそれぞれに供給する電力供給回路とにより構成している。
【０１４１】
操作ボタンユニット６５は、使用者により操作される複数の操作スイッチ６ｃを備えており、使用者が操作する操作手段として機能して、使用者による操作スイッチ６ｃの操作に対応した信号を制御部６０ａに入力するものである。
【０１４２】
そして、制御部６０ａは、これら操作スイッチ６ｃから信号が入力されると、その信号に対応したプログラムを実行することにより、無線送信ユニット６７を作動させて衛生洗浄装置４へ操作スイッチ６ｃの操作に対応した操作信号を送信させる制御を行う。
【０１４３】
設定ボタンユニット６６は、使用者により操作される複数の設定ボタン６ｅを備えており、使用者が操作する操作手段として機能して、使用者による設定ボタン６ｅの操作に対応した信号を制御部６０ａに入力するものである。
【０１４４】
そして、制御部６０ａは、これら設定ボタン６ｅから信号が入力されると、その信号に対応したプログラムを実行することにより、無線送信ユニット６７を作動させて衛生洗浄装置４へ設定ボタン６ｅの操作に対応した操作信号を送信させる制御を行う。
【０１４５】
無線送信ユニット６７は、使用者による操作スイッチ６ｃの操作に対応した所定波長の光信号を操作信号として照射する操作信号送信部６ｂを備えており、制御部６０ａが無線送信プログラムを実行することにより動作して、衛生洗浄装置４へ向けて操作信号を送信する。
【０１４６】
（衛生洗浄装置の制御部が行う処理）
次に衛生洗浄装置４の制御部５０ａが行う処理について、図９及び図１０に示すフローチャートを参照して説明する。
【０１４７】
制御部５０ａは、図９に示すように、リモコン装置６から使用者により設定ボタン６ｅが操作されたこと示す操作信号（設定信号）を受信したか否かの判断を行い（ステップＳ０１）、設定信号を受信したと判断した場合に処理をステップＳ０２へ移し、受信していないと判断した場合に処理をステップＳ０６へ移す。
【０１４８】
ステップＳ０２において制御部５０ａは、衛生洗浄装置４から受信した設定信号に対応した操作無線信号（設定無線信号）を音情報再生装置５へ送信する処理を行い、その後、処理をステップＳ０３へ移す。このとき制御部５０ａは、第２送信長により設定無線信号を送信するようにしている。
【０１４９】
ステップＳ０３において制御部５０ａは、受信した設定信号に対応した設定処理を行う。ここで行う設定は、たとえば、設定信号に応じて、トイレをあまり使用しない時間帯を記憶して便座温度を下げる節電を図る第１節電モードや、毎日決まった時間帯に便座の暖房を切って節電を図る第２節電モード等の設定を行う。そして、この設定処理が終了すると、処理をステップＳ０４へ移す。
【０１５０】
ステップＳ０４において制御部５０ａは、リモコン装置６から使用者により操作スイッチ６ｃが操作されたことを示す操作信号を受信したか否かの判断を行い、受信したと判断した場合に処理をステップＳ０５へ移し、受信していないと判断した場合に処理をステップＳ０６へ移す。
【０１５１】
ステップＳ０５において制御部５０ａは、受信した操作信号に応じた処理を行う。具体的には、操作信号の種類に応じたプログラムを実行することにより、局部洗浄ユニットの動作開始や動作停止、又は、便座暖房ユニットのＯＮ・ＯＦＦ切り替え等の処理を行う。
【０１５２】
ステップＳ０６において制御部５０ａは、入室センサ１０ａが使用者のトイレブース２への入室を検知したか否かの判断を行い、検知したと判断した場合に処理をステップＳ０７へ移し、検知していないと判断した場合に処理をステップＳ０８へ移す。
【０１５３】
ステップＳ０７において制御部５０ａは、音情報再生装置５へ音楽再生機能をＯＮさせると共に、音声ガイド機能をＯＮさせるための人体検知無線信号（待機命令信号）を送信する処理を行う。このとき、制御部５０ａは、第１送信長により待機命令信号を送信し、その後、処理をステップＳ０８へ移す。
【０１５４】
ステップＳ０８において制御部５０ａは、接近センサ１０ｂが使用者の便器３へ接近を検知したか否かの判断を行い、検知したと判断した場合に処理をステップＳ０９へ移し、検知していないと判断した場合に処理をステップＳ０６へ移す。
【０１５５】
ステップＳ０９において制御部５０ａは、便蓋９を自動的に開かせる処理を行い、その後、処理をステップＳ１０へ移す。
【０１５６】
ステップＳ１０において制御部５０ａは、音情報再生装置５に音楽の再生を開始させるための人体検知無線信号（音楽再生命令信号）を送信する処理を行う。このとき制御部５０ａは、第１送信長により音楽再生命令信号を送信し、その後、処理を図１０に示すステップＳ１１へ移す。
【０１５７】
図１０に示すように、ステップＳ１１において制御部５０ａは、着座センサ１０ｃが使用者の着座を検知したか否かの判断を行い、検知したと判断した場合に処理をステップＳ１２へ移し、検知していないと判断した場合に処理をステップＳ１５へ移す。
【０１５８】
ステップＳ１５において制御部５０ａは、便座を暖房する処理を行い、その後、処理をステップＳ１３へ移し、リモコン装置６から局部洗浄を支持する操作信号（局部洗浄信号）を受信したか否かの判断を行い、受信したと判断した場合に処理をステップＳ１４へ移す。
【０１５９】
ステップＳ１４において制御部５０ａは、局部洗浄ユニット５４を作動させて使用者の局部を洗浄させる処理を行い、その後、処理をステップＳＳ１１へ移す。
【０１６０】
一方、受信していないと判断した場合に制御部５０ａは、局部洗浄信号を受信するまでの間ステップＳ１１〜Ｓ１３の処理を繰り返し行う。
【０１６１】
ステップＳ１５において制御部５０ａは、便座暖房を停止させる処理を行った後、処理をステップＳ１６へ移し、接近センサ１０ｂが使用者を検知しているか否かの判断を行う。
【０１６２】
ここで、制御部５０ａは、接近センサ１０ｂが使用者を検知していると判断した場合に処理をステップＳＳ１１へ移し、検知していないと判断した場合に処理をステップＳ１７へ移す。
【０１６３】
ステップＳ１７において制御部５０ａは、接近センサ１０ｂが使用者を検知しなくなった時点からタイマをスタートさせる処理を行い、その後、処理をステップＳ１８へ移す。
【０１６４】
ステップＳ１８において制御部５０ａは、タイマを参照してタイマをスタートさせてから１０ｓｅｃが経過したか否かの判断を行い、１０ｓｅｃが経過したと判断した場合に処理をステップＳ１９へ移し、１０ｓｅｃが経過していないと判断した場合にステップＳ１８の処理を繰り返し行う。
【０１６５】
ステップＳ１９において制御部５０ａは、音情報再生装置５へ音楽情報の再生を停止させるための人体検知無線信号（音楽停止命令信号）を送信する処理を行う。このとき制御部５０ａは、第１送信長により音楽停止命令信号を送信し、その後、処理をステップＳ２０へ移す。
【０１６６】
ステップＳ２０において制御部５０ａは、タイマをリセットする処理を行った後、便器を洗浄する処理を行い（ステップＳ２１）、その後、便蓋９を自動的に閉めるための処理を行って（ステップＳ２２）処理をステップＳ０１へ戻す。
【０１６７】
そして、制御部５０ａは、衛生洗浄装置４に電源が投入されている間、ステップＳ０１〜Ｓ２２の処理を繰り返し行うようにしている。
【０１６８】
（音情報再生装置の制御部が行う処理）
次に、音情報再生装置５の制御部４０ａが行う処理について、図１１に示すフローチャートを参照して説明する。
【０１６９】
図１１に示すように、制御部４０ａは、まず、衛生洗浄装置４から待機命令信号を受信した否かの判断を行い（ステップＳ３１）、受信したと判断した場合に処理をステップＳ３２へ移し、受信していないと判断した場合に処理をステップＳ３３へ移す。
【０１７０】
ステップＳ３２において制御部４０ａは、音楽再生機能をＯＮにする処理と、音声ガイド機能をＯＮにする処理を行い、その後、処理をステップＳＳ４６へ移す。
【０１７１】
ステップＳ３３において制御部４０ａは、衛生洗浄装置４から音楽再生命令を受信したか否かの判断を行い、受信したと判断した場合に処理をステップＳ３４へ移し、受信していないと判断した場合に処理を４１へ移す。
【０１７２】
ステップＳ３４において制御部４０ａは、音楽再生機能がＯＮであるか否かの判断を行い、ＯＮであると判断した場合に処理をステップＳ３５へ移し、ＯＦＦであると判断した場合に処理をステップＳ４６へ移す。
【０１７３】
ステップＳ３５において制御部４０ａは、音楽を再生する処理を開始すると共に、音声ガイド機能がＯＮである場合には、音声ガイド機能をＯＦＦにする処理を行い、その後、処理をステップＳ３６へ移す。
【０１７４】
ステップＳ３６において制御部４０ａは、音情報再生装置５の操作ボタン５ｆが操作されたか否かの判断を行い、操作されたと判断した場合に処理をステップＳ３７へ移し、操作されていないと判断した場合に処理をステップＳ４０へ移す。
【０１７５】
ステップＳ３７において制御部４０ａは、使用者による操作ボタン５ｆの操作が再生停止操作であるか否かの判断を行い、再生停止操作であると判断した場合にそりをステップＳ３８へ移し、音楽の再生を停止する処理を行う。
【０１７６】
一方、制御部４０ａは、ステップＳ３７により再生停止操作でないと判断した場合に、その操作に応じた再生処理を行う（ステップＳ３９）。ここでは、使用者による操作ボタン５ｆの操作に応じて、例えば、再生中の音楽の早送り、巻き戻し、再生音量の調整等といった処理を行い、その後、処理をステップＳ４０へ移す。
【０１７７】
ステップＳ４０において制御部４０ａは、音楽を再生していなければ、再生を開始する処理を行い、その後、処理をステップＳ４６へ移す。
【０１７８】
ステップＳ４１において制御部４０ａは、衛生洗浄装置４から音楽停止命令信号を受信したか否かの判断を行い、受信したと判断した場合に処理をステップＳ４２へ移し、受信していないと判断した場合に処理をステップＳ４３へ移す。
【０１７９】
ステップＳ４２において制御部４０ａは、音楽再生を停止させる処理を行うと共に、音声ガイド機能がＯＮである場合には音声ガイド機能をＯＦＦにする処理を行い、その後、処理をステップＳ４６へ移す。
【０１８０】
ステップＳ４３において制御部４０ａは、衛生洗浄装置４から設定無線信号を受信したか否かの判断を行い、受信したと判断した場合に処理をステップＳ４４へ移し、受信していないと判断した場合に処理をステップＳ４６へ移す。
【０１８１】
ステップＳ４４において制御部４０ａは、音声ガイド機能がＯＮであるか否かの判断を行い、ＯＮであると判断した場合に処理をステップＳ４５へ移し、ＯＦＦであると判断した場合に処理をステップＳ４６へ移す。
【０１８２】
ステップＳ４５において制御部４０ａは、設定無線信号に応じた音声ガイダンスを再生する処理を行う。例えば、使用者がリモコン装置６の設定ボタン６ｅを操作することにより、第１節電モードを選択した場合には、その操作に応じた音声ガイダンスとして、「トイレをあまり使用しない時間帯を記憶して便座温度を下げます。」という音声ガイダンスを再生し、第２節電モードを選択した場合には、「決まった時間帯に便座の暖房を切って節電します。」という音声ガイダンスを再生する。
【０１８３】
そして、このステップＳ４５の処理を行った後、制御部４０ａは処理をステップＳ４６へ移す。
【０１８４】
ステップＳ４６において制御部４０ａは、音声ガイド機能がＯＮであるか否かの判断を行い、ＯＮであると判断した場合に処理をステップＳ４７へ移し、ＯＦＦであると判断した場合に処理をステップＳ４８へ移す。
【０１８５】
ステップＳ４７において制御部４０ａは、無線受信回路を間欠動作させる間欠周期として、図８（a）に示した第２の間欠周期を設定する処理を行い、その後、処理をステップＳ３１へ移す。
【０１８６】
一方、ステップＳ４８において制御部４０ａは、無線受信回路を間欠動作させる間欠周期として、図７（a）に示した第１の間欠周期を設定する処理を行い、その後、処理をステップＳ３１へ移す。
【０１８７】
すなわち、制御部４０ａは、衛生洗浄装置４から人体検知信号である待機命令信号を受信して、音声ガイド機能をＯＮしたときに、第２の間欠周期を設定する処理を行い、衛生洗浄装置４から人体検知信号である音楽再生命令信号、又は、音楽停止命令信号を受信して、音声ガイド機能をＯＦＦしたときに、第１の間欠周期を設定する処理を行うようにしている。
【０１８８】
そして、制御部４０ａは、音情報再生装置５に電源が投入されている間、ステップＳ３１〜Ｓ４８の処理を繰り返し行うようにしている。
【０１８９】
（リモコン装置の制御部が行う処理）
次に、リモコン装置６の制御部６０ａが行う処理について、図１２に示すフローチャートを参照して説明する。
【０１９０】
図１２に示すように、制御部６０ａは、まず、使用者によりリモコン装置６が操作されたか否かの判断を行い（ステップＳ５１）、操作されたと判断した場合に処理をステップＳ５２へ移し、操作されていないと判断した場合にステップＳ５１の処理を繰り返し行う。
【０１９１】
ステップＳ５２において制御部６０ａは、使用者による操作が設定ボタン６ｅの操作である設定操作であるか否かの判断を行い、設定操作であると判断した場合に処理をステップＳ５３へ移し、設定操作でないと判断した場合に処理をステップＳ５４へ移す。
【０１９２】
ステップＳ５３において制御部６０ａは、衛生洗浄装置４へ衛生洗浄装置４の設定を行うための操作信号（設定信号）を送信する処理を行い、その後、処理をステップＳ５１へ移す。
【０１９３】
ステップＳ５３において制御部６０ａは、使用者による操作が操作スイッチ６ｃの操作であると判断して、その操作に応じた操作信号を衛生洗浄装置４へ送信する処理を行い、その後、処理をステップＳ５１へ移す。
【０１９４】
そして、制御部６０ａは、リモコン装置６に電源が投入されている間、ステップＳ５１〜Ｓ５４の処理を繰り返し行うようにしている。
【０１９５】
尚、本実施形態に係るトイレシステムにおいて、音情報再生装置５が備える音声ガイド機能では、使用者によりリモコン装置６の設定ボタン６ｅが操作された場合にのみ、音情報再生装置５にその設定に関する音声ガイドを行わせるようにしているが、これに限定するものではなく、例えば、使用者がリモコン装置の操作スイッチ６ｃを操作した場合に、その操作に対応した衛生洗浄装置４の機能に関する音声ガイドを行わせるようにすることもできる。
【０１９６】
この場合、音情報再生装置５のＲＯＭ４１に、予め、「おしり洗浄を行います。」、「おしり乾燥を行います。」等といった衛生洗浄装置４が備える各機能に対応した音声ガイダンスの情報を記憶させておく。
【０１９７】
そして、衛生洗浄装置４がリモコン装置６から所定の操作信号を受信した場合、その操作信号に対応する操作無線信号を音情報再生装置５へ送信させ、音情報再生装置５に受信した操作無線信号に対応する音声ガイダンスを再生させるようにする。
【図面の簡単な説明】
【０１９８】
【図１】本実施形態に係るトイレシステムを採用したトイレブースを示す斜視図である。
【図２】音情報再生装置の概観を示す斜視図である。
【図３】リモコン装置の概観を示す斜視図である。
【図４】音情報再生装置の電気的構成を示す機能ブロック図である。
【図５】衛生洗浄装置の電気的構成を示す機能ブロック図である。
【図６】リモコン装置の電気的構成を示す機能ブロック図である。
【図７】第１の間欠周期を示すタイミングチャートである。
【図８】第２の間欠周期を示すタイミングチャートである。
【図９】衛生洗浄装置の制御部が行う処理を示すフローチャートである。
【図１０】衛生洗浄装置の制御部が行う処理を示すフローチャートである。
【図１１】音情報再生装置の制御部が行う処理を示すフローチャートである。
【図１２】リモコン装置の制御部が行う処理を示すフローチャートである。
【符号の説明】
【０１９９】
１  トイレシステム
２  トイレブース
３  便器
４  衛生洗浄装置
５  音情報再生装置
５ａ  基板
５ｂ  ハンガー
５ｃ  音情報再生装置本体
５ｄ  スピーカ
５ｅ  液晶表示部
５ｆ  操作ボタン
６  リモコン装置
６ａ  筐体
６ｂ  操作信号送信部
６ｃ  操作スイッチ
６ｄ  液晶表示部
６ｅ  設定ボタン
６ｆ  カバー体
６ｇ  ヒンジ
６ｈ  窓
６ｉ  操作孔
７  衛生洗浄装置本体
８  便座
９  便蓋
１０  センサ
１０ａ  入室センサ
１０ｂ  接近センサ
１０ｃ  着座センサ
１１  洗浄ノズル
１２  貯水タンク
１２ａ  洗浄レバー
４０、５０、６０  ＣＰＵ
４１、５１、６１  ＲＯＭ
４２、５２、６２  ＲＡＭ
５３  無線受信ユニット
５４  局部洗浄ユニット
５５  便座暖房ユニット
５６  便蓋開閉ユニット
５７  無線送信ユニット
４３  情報表示ユニット
４４  音情報出力ユニット
４５  バッテリーユニット
４６  操作ボタンユニット
４７  無線受信ユニット
４８  外部記憶装置接続ユニット
４９  外部記憶装置
６３  情報表示ユニット
６４  バッテリーユニット
６５  操作ボタンユニット
６６  設定ボタンユニット
６７  無線送信ユニット
【図１】
2007315147.tif 000003
【図２】
2007315147.tif 000004
【図３】
2007315147.tif 000005
【図４】
2007315147.tif 000006
【図５】
2007315147.tif 000007
【図６】
2007315147.tif 000008
【図７】
2007315147.tif 000009
【図８】
2007315147.tif 000010
【図９】
2007315147.tif 000011
【図１０】
2007315147.tif 000012
【図１１】
2007315147.tif 000013
【図１２】
2007315147.tif 000014